(57)【要約】　　　（修正有）【課題】安定感と調和感に優れ、組み立てと解体が簡潔で、移動や収納が容易で耐久性のある、家庭用の木製ガーデンファニチャーを提供する。【解決手段】ガーデンファニチャーのパーゴラＡとベンチテーブルＢは夫々に互換性のある天然木製部材からなり、切り欠き部分や相欠き部分を有し、ボルトナットで締め用の穴を設ける。脚部は台形状に組み込み、テーブル天板は横方向に、ベンチ座板は縦方向に複数の板の組み込みとする。【選択図】　図１
0003097804.tif 000002
【実用新案登録請求の範囲】
【請求項１】
パーゴラ部が脚部材、梁部材、屋根用桁部材、補強用方杖部材、脚連結部材を備え、パーゴラと対をなすベンチテーブルが複数板の組み込み天板及び座板、脚部材、脚連結部材、金具を付した補強用部材を備え、これら全てに防水防腐仕上げを施した木製角部材を使用し、組み立ては全てワッシャー付きボルトナットで容易に行えるパーゴラとベンチテーブルを備えた凡そ６人用のガーデンファニチャー。
【請求項２】
請求項１のガーデンファニチャーのパーゴラは左右の脚部を台形状に傾斜させて組み立てることを特徴とする。
【請求項３】
前記ガーデンファニチャーのベンチテーブルは、天板は複数の板材を縦型にビス止めし、座板は複数の板材を横型にビス止めし、前後の脚部を台形状に傾斜させて組み立てることを特徴とする。
【請求項４】
請求項１のガーデンファニチャーは夫々の同種部材において左右前後の配置に互換性を具備すること及び部材に曲がり、傷、折損が生じた場合は、その部分のみの交換が簡潔にできることを特徴とする。
【請求項５】
請求項１のガーデンファニチャーは請求項２のパーゴラと請求項３のベンチテーブルを使用目的によって個別に場所を変えて設置することが出来ることを特徴とする。
【考案の詳細な説明】
【０００１】
【考案の属する利用分野】
本考案は一般家庭の娯楽、休養、接客及び小団体の屋外行事用として、あるいは公園の休憩所、レジャー施設として利用することに関係する。
【０００２】
【考案が解決しようとする課題】
組み立て設置や解体収納に当たり、金属製のような特殊な工法や用具を必要とすること及び費用の発生すること、固定式の不都合さや損傷部の部分交換が困難であることの問題点を解決する。
【０００３】
材料と構造に手づくり感と安らぎ感を具備すること及び家庭的であること、周囲環境と調和させることについての問題点を解決する。
【０００４】
組み立て、解体、移動、収納を容易にするための軽量化とコンパクト化の問題を解決する。
【０００５】
【課題を解決するための手段】
本考案の請求項１記載のガーデンファニチャーは防水、防腐仕上げの木製部材で構成し、部材間に互換性を持たせて部材の種類を最小に抑え、ボルトナットの締めや緩めによって、親子や少人数による組み立て作業と解体作業を容易とし、経時によって起こり得る損傷部材の簡易な部分交換を可能とする。
【０００６】
本考案の請求項２記載のパーゴラと請求項３記載のベンチテーブルは脚部を台形状に組み込むことによって傾斜地での安定度を保たせる。
【０００７】
本考案の請求項３記載のベンチテーブはテーブル部の天板と左右双方のベンチ部の座板を夫々縦長と横長に組み込み、美観と堅牢性を持たせる。
【０００８】
【考案の実施形態】
以下、本考案のガーデンファニチャーの実施例について図１から図４を参照して構成する部材について説明する。
図１は本考案ガーデンファニチャーの構造の斜視図であり、Ａのパーゴラ部とＢのベンチテーブル部で構成されている。
【０００９】
前記Ａパーゴラは１の脚部は何れも切り欠き部位、ねじ穴部位、寸法は共通で互換性を持たせている。２の梁材は相欠き部位、ねじ穴部位、寸法は共通で互換性を持たせている。３の屋根部材の相欠き部位、寸法は共通で互換性を持たせている。４の桁部材は相欠き部位、ねじ穴部位、寸法は共通で互換性を持たせている。５の補強方杖は切り欠き部位、ねじ穴部位、寸法は共通で互換性を持たせている。６ａの脚連結部材、６ｂの同じく連結部材は各々ねじ穴部位、寸法は共通で互換性を持たせている。部材の連結締め付け用ボルトナット７ａ、７ｂ、７ｃは太さが同一である。
【００１０】
前記Ｂベンチテーブルは８の複数の天板部材は同一寸法で、９の複数の座板部材は同一寸法である。１０の脚部は何れも切り欠き部位、ねじ穴部位、寸法は共通で互換性を持たせている。１１の脚連結部材はねじ穴部位、寸法は共通で互換性を持たせている。１２の脚部補強用部材は切り欠き部位、ねじ穴部位、寸法は共通で互換性を持たせている。部材締め付け用ボルトナット１３ａ、１３ｂ、１３ｃ、１３ｄは太さが同一である。
【００１１】
図２はパーゴラの部材構成を示している。図３はベンチテーブルの部材構成を示している。図４はボルトナットの構成及び取付け金具を示している。
部材と部材の単なるボルトナット締め箇所、切り欠きを施した部分のボルトナット締め箇所、相欠き部分の嵌め込み箇所を設け、頑丈で安全であることに重点を置いている。
【００１２】
ベンチテーブルの天板８と座板９は夫々の部材を予めビス止めを施し、テーブル天板とベンチ座板として一対のものに組み込んであるが、ビス止めを外して分解できることにも配慮している。
【００１３】
【考案の効果】
本考案のガーデンファニチャーは木製部材に切り欠きと相欠きを施し、部材の嵌め込みとボルトナット締めにより組み立てが簡潔にできる構造であり、不要時には解体して収納することも容易である。
【００１４】
強度と耐久性を十分保つ安全な構造であり、天然木の風合と家庭や公園の屋外環境に調和したパーゴラとベンチテーブルのセットである。
【００１５】
パーゴラ屋根部分に防水シートやビニール板、スノコ等を乗せることにより、雨避けや太陽光の遮蔽を兼ねた利用にも便利である。
【図面の簡単な説明】
【図１】本考案に係る木製ガーデンファニチャーの全体斜視図である。
【図２】本考案に係るパーゴラの部材構成図である。
【図３】本考案に係るベンチテーブルの部材構成図である。
【図４】本考案に係るボルトナット及び取付け金具図である。
【符号の説明】
Ａ・・・パーゴラ部
１・・・脚部　　　　　　　　　　　　２・・・梁部
３・・・屋根部　　　　　　　　　　　４・・・桁部
５・・・補強方杖　　　　　　　　　　６ａ、６ｂ・・・脚連結部
７ａ、７ｂ、７ｃ・・・ボルトナット
Ｂ・・・ベンチテーブル部
８・・・テーブル部　　　　　　　　　９・・・ベンチ部
１０・・・脚部　　　　　　　　　　　１１・・・脚連結部
１２・・・補強方杖
１３ａ、１３ｂ、１３ｃ、１３ｄ・・・ボルトナット
【図１】
0003097804.tif 000003
【図２】
0003097804.tif 000004
【図３】
0003097804.tif 000005
【図４】
0003097804.tif 000006
【手続補正書】
【提出日】平成15年4月25日(2003.4.25)
【手続補正１】
【補正対象書類名】明細書
【補正対象項目名】実用新案登録請求の範囲
【補正方法】変更
【補正の内容】
【実用新案登録請求の範囲】
【請求項１】
パーゴラ部が脚部材、梁部材、屋根用桁部材、補強用方杖部材、脚連結部材を備え、パーゴラと対をなすベンチテーブルが複数板の組み込み天板及び座板、脚部材、脚連結部材、金具を付した補強用部材を備え、これら全てに防水防腐仕上げを施した木製角部材を使用し、組み立ては全てワッシャー付きボルトナットで容易に行えるパーゴラとベンチテーブルを備えた凡そ６人用のガーデンファニチャー。
【請求項２】
請求項１のガーデンファニチャーのパーゴラは左右の脚部を台形状に傾斜させて組み立てることを特徴とするガーデンファニチャー。
【請求項３】
請求項１のガーデンファニチャーのベンチテーブルは、天板は複数の板材を縦型にビス止めし、座板は複数の板材を横型にビス止めし、前後の脚部を台形状に傾斜させて組み立てることを特徴とするガーデンファニチャー。
【請求項４】
請求項１のガーデンファニチャーは夫々の同種部材において左右前後の配置に互換性を具備すること及び部材に曲がり、傷、折損が生じた場合は、その部分のみの交換が簡潔にできることを特徴とするガーデンファニチャー。
【請求項５】
請求項１のガーデンファニチャーは請求項２のパーゴラと請求項３のベンチテーブルを使用目的によって個別に場所を変えて設置することが出来ることを特徴とするガーデンファニチャー。